(57)【要約】【課題】飲用容器内にティーバッグの袋体と湯を入れ、該袋体内の茶葉のエキスを湯中に滲み出させる際に、飲用容器の外部に露出させておくティーバッグのタグが飲用容器内の湯中に落下することを防止する。【解決手段】ティーバッグ（５）のタグ（７）を係止するための切り欠き（９）を上縁（１ａ）に形成したことを特徴とする飲用容器。切欠部（２３）を備えたティーバッグ（５）のタグ（７）を係止するための突起（２１）を外面に備えさせたことを特徴とする飲用容器。ティーバッグ（５）のタグ（７）を係止するための溝（３１）を取っ手（３）に形成したことを特徴とする飲用容器。引用容器には蓋（１７）を備えさせる。【選択図】図１
2005168812.tif 000002
【特許請求の範囲】
【請求項１】
ティーバッグのタグを係止するための切り欠きを上縁に形成したことを特徴とする飲用容器。
【請求項２】
切欠部を備えたティーバッグのタグを係止するための突起を外面に備えさせたことを特徴とする飲用容器。
【請求項３】
ティーバッグのタグを係止するための溝を取っ手に形成したことを特徴とする飲用容器。
【請求項４】
蓋を備えていることを特徴とする請求項１〜３のいずれかの飲用容器。
【発明の詳細な説明】
【技術分野】
【０００１】
本発明は、飲用容器に関するものであり、特に、ティーバッグを用いて紅茶、緑茶等の茶を飲むようにしたティーカップ、湯のみ等の飲用容器に係るものである。
【背景技術】
【０００２】
ティーバッグを用いて紅茶、緑茶等の茶を飲むための飲用容器としては、一般に、上端を開口した陶器、磁器、金属等のティーカップ、湯のみ等の容器が使用されている。
【０００３】
また、ティーバッグは、一般に、茶葉を収容する袋体に紐の一端を取り付け、該紐の他端にタグを備えさせてなるものである。ティーバッグのタグには切欠部を備えているものもある。
【０００４】
なお、本出願人は本発明に関する先行技術文献情報を有しない。
【発明の開示】
【発明が解決しようとする課題】
【０００５】
上記従来の飲用容器においては、飲用時には、飲用容器内にティーバッグの袋体と湯を入れ、該袋体内の茶葉のエキスを湯中に滲み出させた後、該ティーバッグを飲用容器から取り出して該飲用容器内の茶を飲むのである。
【０００６】
しかして、飲用容器内にティーバッグの袋体と湯を入れ、該袋体内の茶葉のエキスを湯中に滲み出させる際には、ティーバッグのタグは飲用容器の外部に露出させておくのであるが、ティーバッグのタグは紐により飲用容器の外部に垂れ下がっているにすぎないため、該タグがしばしば飲用容器内の湯中に落下するという問題が生じている。このように、タグが飲用容器内の湯中に落下することは不潔であると共に、タグが湯中に落下したティーバッグを湯中から取り出す作業も面倒である。
【０００７】
本発明は、ティーバッグのタグを飲用容器の外部に係止させることにより、上記従来の飲用容器における上述の如き問題を解決しようとしてなされたものである。
【課題を解決するための手段】
【０００８】
上記課題を解決するために、本発明は下記の飲用容器を提供する。
【０００９】
（１）ティーバッグのタグを係止するための切り欠きを上縁に形成したことを特徴とする飲用容器（請求項１）。
【００１０】
（２）切欠部を備えたティーバッグのタグを係止するための突起を外面に備えさせたことを特徴とする飲用容器（請求項２）。
【００１１】
（３）ティーバッグのタグを係止するための溝を取っ手に形成したことを特徴とする飲用容器（請求項３）。
【００１２】
（４）前記飲用容器には蓋を備えさせる。
【００１３】
［作用］
［請求項１の発明］
飲用容器内にティーバッグの袋体と湯を入れる際に、ティーバッグのタグを飲用容器の外部に位置させた状態でティーバッグの紐を飲用容器上縁の切り欠きに嵌める。しかるときは、袋体内の茶葉のエキスを湯中に滲み出させている間に、ティーバッグの紐が飲用容器の内方に引かれても、ティーバッグのタグは該切り欠きに係止するため、該タグが飲用容器内の湯中に落下することはない。飲用時には、該タグを指で挟持してこれを引き上げることにより、ティーバッグを飲用容器から容易に除去することができる。
【００１４】
［請求項２の発明］
飲用容器内にティーバッグの袋体と湯を入れる際に、ティーバッグのタグにおける切欠部を飲用容器外面の突起に係止する。しかるときは、袋体内の茶葉のエキスを湯中に滲み出させている間に、ティーバッグの紐が飲用容器の内方に引かれても、該タグが飲用容器内の湯中に落下することはない。飲用時には、該タグを指で挟持してこれを引き上げることにより、ティーバッグを飲用容器から容易に除去することができる。
【００１５】
［請求項３の発明］
飲用容器内にティーバッグの袋体と湯を入れる際に、ティーバッグのタグを飲用容器の外部に位置させた状態でティーバッグの紐を取っ手に形成された溝に嵌める。しかるときは、袋体内の茶葉のエキスを湯中に滲み出させている間に、ティーバッグの紐が飲用容器の内方に引かれても、ティーバッグのタグは該溝に係止するため、該タグが飲用容器内の湯中に落下することはない。飲用時には、該タグを指で挟持してこれを引き上げることにより、ティーバッグを飲用容器から容易に除去することができる。
【００１６】
［請求項４の発明］
飲用容器内にティーバッグの袋体と湯を入れた後、該飲用容器に蓋を被せることにより、該飲用容器を密閉し、該飲用容器内で茶を蒸らすことができる。このように、茶を蒸らすことにより、茶の風味、香り等が向上する。また、飲用容器から取り出したティーバッグを蓋上に載置することにより、濡れたティーバッグによりテーブル上面等が汚れることも防止される。
【発明の効果】
【００１７】
本発明によれば、ティーバッグのタグを飲用容器の外部に係止させるようにしたため、袋体内の茶葉のエキスを湯中に滲み出させている間に、ティーバッグの紐が飲用容器の内方に引かれても、該タグが飲用容器内の湯中に落下することはない。
【発明を実施するための最良の形態】
【００１８】
まず、図１〜図３に示す事例について説明する。
【００１９】
符号１に示すものは飲用容器であり、符号３に示すものは該飲用容器１の取っ手である。飲用容器１の上縁１ａにはティーバッグ５のタグ７を係止するための切り欠き９を形成する。切り欠き９はティーバッグ５の紐１１を嵌めることによりティーバッグ５のタグ７を係止するに適した幅と深さと形状とを備えている。符号１３に示すものはティーバッグ５の袋体であり、該袋体１３内に紅茶、緑茶等の茶葉が収容されている。図２における符号１５に示すものは飲用容器１内に注入された湯である。
【００２０】
図１〜図３に示す飲用容器１は、開口部に着脱自在の蓋１７を備えている。蓋１７は、飲用容器１から取り出したティーバッグ５を該蓋１７上に載置したときに、液が該蓋１７から流れ落ちることを防止するために、周囲に突縁部１７ａを備えさせる。
【００２１】
図４、図５に示す事例について説明する。
【００２２】
この事例における飲用容器１は、外面に突起２１を備えている。この突起２１は、切欠部２３を備えたティーバッグ５のタグ７を係止するためのものであり、タグ７の切欠部２３に挿入するに適した形状と寸法とを備えていればいかなるものであってもよい。突起２１は、好ましくは飲用容器１の外面における上縁１ａ近傍に設ける。
【００２３】
次に、図６、図７に示す事例について説明する。
【００２４】
」
この事例における飲用容器１は、取っ手３にティーバッグ５のタグ７を係止するための溝３１形成している。溝３１は、ティーバッグ５の紐１１を嵌めることによりティーバッグ５のタグ７を係止するに適した幅と深さと形状とを備えている。図示の溝３１は略Ｌ字状に屈曲している。
【図面の簡単な説明】
【００２５】
【図１】本発明による飲用容器の一例を示す斜視図である。
【図２】同上飲用容器に蓋を取り付けた状態を示す断面図である。
【図３】蓋を示す斜視図である。
【図４】本発明による飲用容器の別の一例を示す斜視図である。
【図５】ティーバッグのタグと突起とを示す斜視図である。
【図６】本発明による飲用容器の更に別の一例を示す斜視図である。
【図７】同上飲用容器の平面図である。
【符号の説明】
【００２６】
１  飲用容器
１ａ  上縁
３  取っ手
５  ティーバッグ
７  タグ
９  切り欠き
１１  紐
１３  袋体
１５  湯
１７  蓋
１７  突縁部
２１  突起
２３  切欠部
３１  溝
【図１】
2005168812.tif 000003
【図２】
2005168812.tif 000004
【図３】
2005168812.tif 000005
【図４】
2005168812.tif 000006
【図５】
2005168812.tif 000007
【図６】
2005168812.tif 000008
【図７】
2005168812.tif 000009